(57)【要約】　　　（修正有）【課題】浄水器の円筒ケース上部の締付ネジ及びエア抜きネジの取り付けが簡単で且つ締付ネジ及びエア抜きネジが突出しない構造にして見栄えをよくした浄水器を提供する。【解決手段】カートリッジ７に設けられたガイドパイプ１２内に浄化された水が流入して浄水器外に流出する集水パイプ１１がガイドパイプ１２に挿入され、集水パイプ１１の上部の外周には螺旋溝１６が形成され、螺旋溝１６に螺合して回転によりガイドパイプ１２を下方に移動させてカートリッジ７をベース１に押しつけて固定する丸カラー１７を設け、丸カラー１７上部に螺旋溝１６に螺合して回転により、円筒ケース３を下方に移動させてベース１に押しつけて固定する締付ボルト１９を設け、締付ボルト１９の窪み２１にエア抜きボルト２３を螺合したことを特徴とする。【選択図】　　図１
0003096835.tif 000002
【実用新案登録請求の範囲】
【請求項１】
ベースの上面に固定される円筒ケース内に水道水を浄化するための浄化剤を充填したカートリッジが収納されている浄水器において、
カートリッジの中心軸方向に設けられたガイドパイプ内にカートリッジ内で浄化された水がガイドパイプを経て流入して浄水器外に流出する集水パイプがガイドパイプの上端及び下端から突出して挿入され、
前記集水パイプの上部の外周には螺旋溝が形成され、前記螺旋溝に螺合して回転によりガイドパイプを下方に移動させてガイドパイプを水密状態にするとともに、カートリッジをベースに押しつけて固定する丸カラーを設け、
さらに、丸カラー上部にパッキンを介して前記集水パイプの前記螺旋溝に螺合して回転により、円筒ケースを下方に移動させてベースに押しつけて固定する締付ボルトを設け、
前記締付ボルトの窪みにエア抜きボルトを螺合したことを特徴とする浄水器。
【請求項２】
前記締付ボルトの上部に形成されたフランジが円筒ケース上部内に設けられたカラーに係合していることを特徴とする請求項１記載の浄水器。
【請求項３】
前記締付ボルトの窪みの内壁に六角棒レンチが係合する六角孔が形成されていることを特徴とする請求項１又は２記載の浄水器。
【請求項４】
エア抜きボルトの側面に締付ボルトのエア通路に連通する溝が形成されていることを特徴とする請求項１、２又は３記載の浄水器。
【考案の詳細な説明】
【０００１】
【考案の属する技術分野】
本考案は、水道水を吸着剤などで浄化する浄水器に関する。
【０００２】
【従来の技術】
水道水には殺菌のために塩素が含まれているだけでなく、近年水質が悪化していることから、家庭でも水道水を浄水器に通して浄化して使用している。
【０００３】
従来の浄水器は、円筒ケース内に活性炭などを充填したカートリッジがベース上に載置、固定されている。水道水は、円筒ケースとカートリッジの間を通ってカートリッジ内に流入して浄化されて流出する。
【０００４】
【考案が解決しようとする課題】
従来の浄水器では、円筒ケース上部から突出した締付ネジを回転させてカートリッジをベース上に固定している。また、エア抜きは円筒ケース上部に突出して設けたエア抜きネジを回転させることにより行っている。そのため、円筒ケースの上部に２個所の開口を形成し、この２個所の開口に締付ネジ及びエア抜きネジを突出して設けるので、そのための余分な加工を必要とするだけでなく、部品点数も多くなるという欠点があった。また、円筒ケース上部に締付ネジ及びエア抜きネジが突出しているので、見栄えも良くないという欠点もあった。
【０００５】
そこで本考案は、浄水器の円筒ケース上部の締付ネジ及びエア抜きネジの取り付けが簡単で且つ締付ネジ及びエア抜きネジが突出しない構造にして見栄えをよくした浄水器を提供するものである。
【０００６】
【課題を解決するための手段】
本考案は、ベースの上面に固定される円筒ケース内に水道水を浄化するための浄化剤を充填したカートリッジが収納されている浄水器において、カートリッジの中心軸方向に設けられたガイドパイプ内にカートリッジ内で浄化された水がガイドパイプを経て流入して浄水器外に流出する集水パイプがガイドパイプの上端及び下端から突出して挿入され、前記集水パイプの上部の外周には螺旋溝が形成され、前記螺旋溝に螺合して回転によりガイドパイプを下方に移動させてガイドパイプを水密状態にするとともに、カートリッジをベースに押しつけて固定する丸カラーを設け、さらに、丸カラー上部にパッキンを介して前記集水パイプの前記螺旋溝に螺合して回転により、円筒ケースを下方に移動させてベースに押しつけて固定する締付ボルトを設け、前記締付ボルトの窪みにエア抜きボルトを螺合したことを特徴とする。
【０００７】
【考案の実施の形態】
図１は本考案の浄水器の一部縦断面を示す図、図２（ａ）は締付ナットの平面図、（ｂ）は側面の断面を示す図である。
【０００８】
ベース１の上面の周縁に形成された円周溝２に円筒ケース３がＯリング４を介して載置されている。円筒ケース３内には水道水を浄化するための浄化剤としてセラミック５や活性炭６などを充填したカートリッジ７が収納される。カートリッジ７の上部の蓋８には水道水がカートリッジ７内へ流入する流入口９が設けられ、カートリッジ７の側面には補強リブ１０を設けてもよい。
【０００９】
カートリッジ７の中心軸方向には、ガイドパイプ１２の浄化された水が流入する流入口１１ａを有する集水パイプ１１をガイドするとともに、カートリッジ７を円筒ケース３内の中心に位置決めするためのガイドパイプ１２が固定されている。ガイドパイプ１２には、カートリッジ７内で浄化された水が流入する流入口１２ａが設けら、流入口１２ａにはフィルター１２ｂが設けられている。
【００１０】
ベース１の中央には、カートリッジ７から突出したガイドパイプ１２の下端を支持する段部１３が途中に形成された貫通孔１４が設けられており、貫通孔１４の下端にはガイドパイプ１２に挿入された集水パイプ１１の下端をベース１に支持し固定するカッター割１５がビスで固定される。
【００１１】
集水パイプ１１の上端部の円周には螺旋溝１６が形成され、丸カラー１７の内周面が螺合され、丸カラー１７の下端がＯリング１８を介してガイドパイプ１２の上端に密着してガイドパイプ１２を水密にし、カートリッジ７をベース１に固定する。
【００１２】
さらに集水パイプ１１の上端部の螺旋溝１６には締付ナット１９が螺合し、締付ナット１９の下端が丸カラー１７の上端にパッキン２０を介して締め付けられて水密状態に結合される。
【００１３】
図２において、締付ナット１９の縦軸方向には窪み２１が設けられ、窪みの途中の内壁には六角棒レンチが係合する六角孔２２が形成されるとともに、その下方の内周にエア抜きボルト２３が螺合する螺旋溝２４が形成されている。エア抜きボルト２３の側面には溝２５が形成され、横方向のエア通路２６に連通している。締付ナット１９の上部にはフランジ２７が形成され、円筒ケース４の開口部の内面に形成されたカラー２８上に係止される。
【００１４】
以上の構成において、カートリッジ７のガイドパイプ１２の下端をベース１の貫通孔１４に挿入し、ガイドパイプ１２内に集水パイプ１１を挿入した後、丸カラー１７を集水パイプ１１の螺旋溝１６に螺合させ回転させていくと、丸カラー１７の下端がＯリング１８を介してガイドパイプ１２の上端に密着してガイドパイプ１２を水密にするとともに、カートリッジ７がベース１に押しつけられて固定される。
【００１５】
次いで、円筒ケース７をベース１の円周溝２内のＯリング４を介してベース１に載置した後、円筒ケース３の開口部から締付ボルト１９を挿入し集水パイプ１１の上端の螺旋溝１６と螺合させ、六角孔２２に六角棒レンチを係合させて締め付けていくと、円筒ケース３の上部のカラー２８が締付ボルト１９のフランジ２８で押し下げられるので、円筒ケース３はベース１に押しつけられて強固に固定される。
【００１６】
円筒ケース３が固定された後、ベース１の給水口と出水口にホースを取り付けて浄水を開始する。エア抜きをする際には、エア抜きボルト１９を緩めることにより、円筒ケース内のエアがエア通路２６を通りエア抜きボルト１９の溝２５を通って締め付けボルト１９の窪み２１へ抜けていく。
【００１７】
本考案では、円筒ケースが円筒ケース内に納められた締付ボルトでベースに固定されているので、円筒ケースの頂部から締付ボルトが突出することがなく、またエア抜きも円筒ケース内に納められた締付ボルトに螺合するエア抜きボルトを使用するので、円筒ケースからエア抜きを突出させて設ける必要がない。
【００１８】
【考案の効果】
本考案では、円筒ケースから締付ボルト、エア抜きを突出させて設ける必要がないので、見た目がよい。
【図面の簡単な説明】
【図１】本考案の浄水器の一部縦断面を示す図である。
【図２】（ａ）は本考案の浄水器に使用する締付ナットの平面図、（ｂ）は側面の断面を示す図である。
【符号の説明】
１：ベース　２：円周溝
３：円筒ケース　４：Ｏリング
５：セラミック　６：活性炭
７：カートリッジ　８：蓋
９：流入口　１０：補強リブ
１１：集水パイプ　１２：ガイドパイプ
１３：段部　１４：貫通孔
１５：カッター割　１６：螺旋溝
１７：丸カラー　１８：Ｏリング
１９：締付ナット　２０：パッキン
２１：窪み　２２：六角孔
２３：エア抜きボルト２４：螺旋溝
２５：溝　２６：エア通路
２７：フランジ　２８：カラー
【図１】
0003096835.tif 000003
【図２】
0003096835.tif 000004